(57)【特許請求の範囲】
【請求項１】
建物基礎３の外周を断熱する構成の外断熱基礎において、該基礎３の外周側面に基礎断熱パネル５を接着剤によって貼設し、該基礎断熱パネル５の上面は、基礎３の上面より低い位置とし、一定長さを残した段落ち状の構成とし、該段落ちさせることによって生じた、基礎断熱パネル５の存在しない空間を断熱する部材として、基礎上断熱材１０を設け、該基礎上断熱材１０は、基礎３の上の基礎断熱パネル５の存在しない一定長さの側面と、更に基礎３の上面を覆い断熱する部材としたことを特徴とする外断熱基礎。
【請求項２】
請求項１記載の外断熱基礎において、前記基礎上断熱材１０は、該基礎３の一定長さの外側上部側面に当接する面と、基礎３の上面に当接する面とにより構成され、断面視略逆Ｌ字状としたことを特徴とする外断熱基礎。
【請求項３】
請求項２記載の外断熱基礎において、前記基礎上断熱材１０の、基礎３の上面に当接する面の上側表面に、外壁４の底面と基礎上断熱材１０の間に通気可能とする空間を形成するスペーサー４２を配置したことを特徴とする外断熱基礎。
【発明の詳細な説明】
【０００１】
【発明の属する技術分野】
本発明は、住宅の基礎の外側に取り付ける断熱材と、その構成に関する。
【０００２】
【従来の技術】
外断熱構造は、建物構造体外部に断熱材を連続して施工できることから、断熱ライン（気密ライン）に欠損が生じることがない。
このことから、外断熱構造は建物構造体内部の熱分布にムラが生じない気密性の高い断熱構造であるというのが特徴である。
以上の特徴より、冬場の暖房効率を大幅に向上することができるため、近年、特に寒冷地においては、該外断熱構造が多く採用されている。
【０００３】
該外断熱構造の一つとして建物基礎の外周部（建物外側）を断熱材で覆う外断熱基礎構造がある。一般的には、基礎の外周に断熱材を貼設し、該断熱材の上にモルタルを塗りこむものが一般的である。該断熱材の外周には、モルタル刷毛引などにより、断熱材の耐候性の向上が図られている。
また、前記水切りは、雨水の断熱材への浸入による断熱材内のカビの発生や腐食を防いでいる。
【０００４】
【発明が解決しようとする課題】
上記水切りは、その上面に雨水や雪等を溜めないために傾斜を有することが望ましい。
そこで、水切りに傾斜させて取り付ける際には、水切りの下に存在する断熱材は以下のいずれかの構成であることが必要となる。
一つは断熱材の上面を斜めに形成すること、または、断熱材の上面を基礎の上面よりも低く位置させることである。
【０００５】
まず、断熱材の上面を斜めに形成する際には、断熱材の製作時に、斜めにカットする加工の必要があることから、製作に手間がかかるのである。
また、断熱材の上面を基礎の上面よりも低く位置させた際には、基礎の上部に断熱材が存在しなくなるため、断熱効果が損なわれてしまうのである。特に、寒冷地においては、断熱材の存在しない基礎外周面を構成してしまうことにより、断熱効果に大きな影響を与えるため、基礎外周面は完全に断熱されておくことが必要なのである。
【０００６】
即ち、本発明の課題とするところは、断熱効果を損なうことなく、水切りに傾斜を構成することにより生じる弊害（断熱材の上面を斜めに加工すること）を克服し、傾斜を有する水切りの設置を可能にすることである。
【０００７】
【課題を解決するための手段】
本発明の解決しようとする課題は以上のごとくであり、次に該課題を解決する為の手段を説明する。
請求項１においては、建物基礎３の外周を断熱する構成の外断熱基礎において、該基礎３の外周側面に基礎断熱パネル５を接着剤によって貼設し、該基礎断熱パネル５の上面は、基礎３の上面より低い位置とし、一定長さを残した段落ち状の構成とし、該段落ちさせることによって生じた、基礎断熱パネル５の存在しない空間を断熱する部材として、基礎上断熱材１０を設け、該基礎上断熱材１０は、基礎３の上の基礎断熱パネル５の存在しない一定長さの側面と、更に基礎３の上面を覆い断熱する部材としたものである。
【０００８】
請求項２においては、請求項１記載の外断熱基礎において、前記基礎上断熱材１０は、該基礎３の一定長さの外側上部側面に当接する面と、基礎３の上面に当接する面とにより構成され、断面視略逆Ｌ字状としたものである。
【０００９】
請求項３においては、請求項２記載の外断熱基礎において、前記基礎上断熱材１０の、基礎３の上面に当接する面の上側表面に、外壁４の底面と基礎上断熱材１０の間に通気可能とする空間を形成するスペーサー４２を配置したものである。
【００１０】
【発明の実施の形態】
次に、本発明の実施の形態を、図面に基づいて説明する。
図１は本発明の実施例の全体構成の斜視図、図２は同じく側面断面図、図３は外壁の設置部の詳細図、図４は出隅における基礎上断熱材の取付状態を表す斜視図、図５は入隅における基礎上断熱材の取付状態を表す斜視図である。
【００１１】
まず、本発明を適用した実施例の概要について説明する。
図１及び図２に示すごとく、地盤１に配した捨コンクリート２の上に、基礎３を設置し、該基礎３の上に外壁４が配される。そして、該基礎３の外側面（地盤１側）には、基礎断熱パネル５が接着剤によって貼設されている。該基礎断熱パネル５は、その外側面を外装板１５で構成し耐候性及び美観を向上させている。
また、該基礎断熱パネル５は基礎３の側面に固設され外側に突設した水切り受金具６によって、設置作業において仮固定（位置決めとなる）され、該水切り受金具６の上には水切り８を嵌合保持する水切りジョイナー７が設置されている。
また、前記基礎断熱パネル５の上部には、水切りジョイナー７及び水切り８が構成される必要があるため、基礎断熱パネル５の上面は基礎３の上面より段落ちさせる構成（低い位置）としている。このように、段落ちさせることによって生じた基礎断熱パネル５の存在しない空間を断熱する部材として、基礎断熱パネル５の上端から外壁４の下部にかけて、基礎上断熱材１０が基礎３の側面に添わせるようにして貼設されている。
【００１２】
次に、基礎上断熱材１０について説明する。
図１及び図２に示すごとく、該基礎上断熱材１０は、基礎３の外側表面のうち、基礎断熱パネル５が存在しない表面を覆うものである。該基礎上断熱材１０の断面形状は、基礎３の段付部３１の表面に沿わせる形状、即ち、取り付け時において、略逆「Ｌ」字状（本実施例では、基礎３の段付部３１を段落ちさせているため、階段形状とした）としている。さらに、断熱効果を高めるために、外側面（基礎３と反対側面）を二重構成としている。
また、該基礎上断熱材１０の裏側（基礎３に当接する側）には接着テープがあらかじめ貼設されており、施工時においては該接着テープの離型紙を剥がすだけで、基礎３に貼設することを可能にしている。
【００１３】
該基礎上断熱材１０は、前記基礎断熱パネル５とともに、基礎３の外周に連続的に貼設することによって、基礎３の外周全体を覆うものである。そこで、該基礎上断熱材１０の幅方向の長さは、数種の幅のバリエーションを有し、さまざまな基礎３の長さに対応できるようにしている。
【００１４】
また、図１及び図３に示すごとく、外壁４の設置のための基礎３に適宜配されたアンカーボルト４９・４９・・・の存在する位置においては、外壁４の固定部下面に設けた軸プレート４４・４４・・・を基礎３の上面に当接させることにより、外壁４の設置を確実にする（弾性部材である基礎上断熱材１０を介装しないということ）ため、該軸プレート４４・４４・・・が存在する基礎上断熱材１０の上面の一部には切欠き４５（図１に示す）を構成している。
【００１５】
尚、該基礎上断熱材１０の素材としては、ポリエチレン等の合成樹脂発泡体を用い、一体成型とするものである。また、施工現場での基礎３に対する誤差が生じた際に対応するため、カッター等で簡単に切断可能とすることが望ましい。
【００１６】
さらに、該基礎上断熱材１０は、壁体内通気を行う外壁に対応する構成とすることもできる。ここで、壁体内通気とは、内壁断熱材に湿気が滞留しないようにしてカビや雑菌の発生を防ぐものである。
図３に示すごとく、外壁４の下部には軸プレート４４・４４・・・を構成しているため、外壁４の下面のその他の部分は、基礎３との間に空間が保たれ、通気孔４１・４１・・・も塞がれることはない。
【００１７】
しかし、基礎３と外壁４の間に基礎上断熱材１０を介装した場合には、基礎上断熱材１０の厚さが設計通りであっても、基礎の上面の高低の誤差により基礎上断熱材１０の上面が通気孔４１・４１・・・に当接してしまう場合が生じ得る。また、長期間の外気温の変化・吸湿等により、基礎上断熱材１０の膨張・伸縮・変形が生じた際にも同様のことが生じ得るのである。
【００１８】
そこで、上記の不具合を想定し、通気孔壁体内通気のための通気孔４１・４１・・・の下部において、外壁４の底面と基礎上断熱材１０の間に空気が通る空間（隙間）を常に確保することができるように、通気孔４１・４１・・・の両端となる位置にスペーサー４２・４２を、基礎上断熱材１０の上に形成した。
【００１９】
また、該スペーサー４２・４２は、上述のごとく、基礎上断熱材１０の一部として、一体成型品としてもよいが、基礎上断熱材１０の他の部材よりも硬質の素材で構成すれば、さらに耐候性が向上し、より確実に空気の通り道を確保することができる。
【００２０】
以上のごとく構成した基礎上断熱材１０は、基礎３の形状（出隅や入隅等）に合うように、予め工場で製作される。これは、施工現場での加工作業を極力少なくするため、及び基礎上断熱材１０の取り付け精度を上げるためでもある。
とくに、外壁４の通気孔４１・４１・・・の外気通気を妨げないため（壁体内通気に対応する場合）、また、外壁４の設置のための基礎３に適宜配されたアンカーボルト４９・４９・・・の配置に対応するためには、予め設計長さ通りに加工された基礎上断熱材１０が搬入される必要がある。
また、出隅・入隅では、その角部に隙間が生じないことが必要となる。
【００２１】
そこで、図１に示すごとく、凹凸部のない一般部には直線形状の基礎上断熱材１０を貼設する。また、図４及び図５に示すごとく、出隅においては、出隅基礎上断熱材７８を貼設し、入隅においては、入隅基礎上断熱材７９を貼設する。
以上の基礎上断熱材１０、出隅基礎上断熱材７８及び入隅基礎上断熱材７９を、連接（隙間を生じないように）することにより、基礎３の形状（通気孔４１及びアンカーボルト４９）に対応できる。具体的には、まず、出隅基礎上断熱材７８を出隅に取り付け、該出隅基礎上断熱材７８を基準として連接すること等である。こうして、施工作業が簡単に行えるのである。また、出隅・入隅においても、その角部に隙間が生じることがないのである。
【００２２】
【発明の効果】
本発明は以上のごとく構成したので、次のような効果を奏するのである。
請求項１に記載のごとく、建物基礎３の外周を断熱する構成の外断熱基礎において、該基礎３の外周側面に基礎断熱パネル５を接着剤によって貼設し、該基礎断熱パネル５の上面は、基礎３の上面より低い位置とし、一定長さを残した段落ち状の構成とし、該段落ちさせることによって生じた、基礎断熱パネル５の存在しない空間を断熱する部材として、基礎上断熱材１０を設け、該基礎上断熱材１０は、基礎３の上の基礎断熱パネル５の存在しない一定長さの側面と、更に基礎３の上面を覆い断熱する部材としたので、基礎断熱パネル５の上面の上一定長さを残して基礎３の上面に対して低く構成することができて水切りを配置できるとともに、その部分は基礎上断熱材１０によって基礎３の上面を断熱できる。
即ち、水切り８に傾斜を構成させることにより生じる弊害（断熱材の上面を斜めに加工すること）を克服し、傾斜を有する水切り８の設置を可能にするのである。
そして、基礎上面も基礎上断熱材で覆うので、建物基礎の外周を殆ど断熱材で覆うことができるのである。
【００２３】
請求項２に記載のごとく、前記基礎上断熱材１０は、該基礎３の一定長さの外側上部側面に当接する面と、基礎３の上面に当接する面とにより構成され、断面視略逆Ｌ字状としたので、基礎３の形状に沿って貼設することができ、基礎上断熱材１０と基礎３の間に空間を形成しないことから、高い断熱効果を得られる。
また、面で構成するため該基礎上断熱材１０を取り付けた後においても、基礎３の外形が維持できることから、水切り８等の取り付けの際に邪魔になることもなく、また、構成が簡単で容易に製作することができるのであるのである。
【００２４】
請求項３に記載のごとく、前記基礎上断熱材１０の、基礎３の上面に当接する面の上側表面に、外壁４の底面と基礎上断熱材１０の間に通気可能とする空間を形成するスペーサー４２を配置したので、通気孔４１・４１・・・が基礎上断熱材１０の上面で確実に確保できて、空気の通り道を確保することができることから、壁体内通気を行える外壁に対応することができるのである。
【図面の簡単な説明】
【図１】  本発明の実施例の全体構成の斜視図である。
【図２】  同じく側面断面図である。
【図３】  外壁の設置部の詳細図である。
【図４】  出隅における基礎上断熱材の取付状態を表す斜視図である。
【図５】  入隅における基礎上断熱材の取付状態を表す斜視図である。
【符号の説明】
１  地盤
２  捨コンクリート
３  基礎
４  外壁
５  基礎断熱パネル
６  水切り受金具
７  水切りジョイナー
８  水切り
１０  基礎上断熱材
４１  通気孔
４２  スペーサー
４４  軸プレート
４９  アンカーボルト
【図１】
0003803907.tif 000002
【図２】
0003803907.tif 000003
【図３】
0003803907.tif 000004
【図４】
0003803907.tif 000005
【図５】
0003803907.tif 000006